(57)【特許請求の範囲】
【請求項１】
底部と背部と左右側部とを有していて、前方及び上方が開放したコンテナ運搬具本体の前記背部の背面に、ローダ装置のブーム先端にチルト・ダンプ動作可能に取り付けるための取付部を設けており、前記底部に、コンテナを前後方向に移動可能に載置するローラコンベアを敷設しており、
前記ローラコンベアを、左右方向に離間した外側桟と、これら外側桟の前後をそれぞれ連結する前後連結板と、外側桟間に配置された前後方向複数のローラとで形成し、各ローラを支持する支軸を左右方向に平行にして各外側桟に設けており、
前記ローラコンベアの前連結板は後連結板より上下幅を狭く形成し、前記各外側桟は最前部のローラ対応位置から前側が前端にいくに従って上下幅を狭く形成していることを特徴とするコンテナ運搬具。
【請求項２】
前記左右方向に離間した外側桟の間に複数本の中間桟を外側桟と平行に配置して設け、その上縁をローラによるコンテナ支持面より高くしてあることを特徴とする請求項１に記載のコンテナ運搬具。
【請求項３】
前記左右方向複数本の桟の間隔はコンテナの左右幅と略同じであることを特徴とする請求項２に記載のコンテナ運搬具。
【発明の詳細な説明】
【技術分野】
【０００１】
本発明は、タマネギやニンジンなどの農作物をコンテナ（上方が開放した四角形箱状の樹脂製容器）に収穫し、このコンテナを圃場から集荷場所などに搬送するためにフロントローダやホイールローダ等のローダ装置の先端に取り付けて使用可能としたコンテナ運搬具に関するものである。
【背景技術】
【０００２】
従来、圃場で収穫機により収穫された農作物を、収穫機に伴走するトラクタ牽引トレーラに積み替えて搬出するハンドリング搬送装置が公知である（特許文献１参照）。
【先行技術文献】
【特許文献】
【０００３】
【特許文献１】特開２００２−２５４９７５号公報
【発明の概要】
【発明が解決しようとする課題】
【０００４】
しかしながら、前記特許文献１のものは、ハンドリング搬送装置をトラクタに別設する必要がある。しかも、このハンドリング搬送装置は、コンテナの搭載位置に応じて位置調整可能なアーム機構を装備させ、トラクタの外部出力により駆動され、トラクタの操縦席に設けた操作装置により操作されてコンテナの持ち上げ、移動、着地をシーケンス制御により自動化させているため、複雑高価なものとなる。
本発明は、コンテナ運搬具へのコンテナの積み込み、積み下ろし作業の労力を軽減し得るコンテナ運搬具を提供することを目的としている。
【課題を解決するための手段】
【０００５】
前記目的を達成するために本発明は、底部と背部と左右側部とを有していて、前方及び上方が開放したコンテナ運搬具本体の前記背部の背面に、ローダ装置のブーム先端にチルト・ダンプ動作可能に取り付けるための取付部を設けており、前記底部に、コンテナを前後方向に移動可能に載置するローラコンベアを敷設しており、前記ローラコンベアを、左右方向に離間した外側桟と、これら外側桟の前後をそれぞれ連結する前後連結板と、外側桟間に配置された前後方向複数のローラとで形成し、各ローラを支持する支軸を左右方向に平行にして各外側桟に設けており、前記ローラコンベアの前連結板は後連結板より上下幅を狭く形成し、前記各外側桟は最前部のローラ対応位置から前側が前端にいくに従って上下幅を狭く形成していることを特徴としている。
また、本発明は、前記左右方向に離間した外側桟の間に複数本の中間桟を外側桟と平行に配置して設け、その上縁をローラによるコンテナ支持面より高くしてあることを特徴としている。
さらに本発明は、前記左右方向複数本の桟の間隔はコンテナの左右幅と略同じであることを特徴としている。
この構成によれば、コンテナ運搬具本体をローダ装置のブームに取り付けて、移動及びチルト・ダンプ動作をさせることができると共に、コンテナ運搬具本体の底部に敷設したローラコンベアにより、コンテナ運搬具本体の手前にコンテナを乗せるだけでコンテナ運搬具本体の奥部までスムーズに滑り入れる（積み込む）ことができる。
【０００６】
また、コンテナをコンテナ運搬具本体から下ろす場合やトラックに載せ替える場合は、コンテナ運搬具本体を前部が低くなるように若干傾けるだけで、コンテナをその自重で滑り下ろす（送り出す）ことができ、人力は不要である。
このように、本発明によれば、コンテナのコンテナ運搬具本体への積み込み、積み下ろし作業を簡単な手段で実現することができる。
前記ローラコンベアは、複数のローラをその支軸の軸線をコンテナ運搬具本体の左右方向に平行にして、かつ、前後方向に間隔をおいて配置してあることが望ましい。
【０００７】
また、前記ローラは、コンテナ運搬具本体の左右方向に複数列配置してあることが望ましい。
さらに、前記取付部は、ローダ装置のブーム先端へ取付ける支持ブラケットと、前記ブームに装備された作業具シリンダに連結する連結ブラケットとを備えていることが望ましい。
【発明の効果】
【０００８】
本発明によれば、コンテナ運搬具へのコンテナの積み込み、積み下ろし作業の労力を軽減し得るコンテナ運搬具を提供することができる。
【図面の簡単な説明】
【０００９】
【図１】本発明に係るコンテナ運搬具の概略斜視図である。
【図２】コンテナ運搬具の底部へのローラコンベアの取付構造例の説明図である。
【図３】本発明に係るコンテナ運搬具へのコンテナの積み込み作業の概略説明図である。
【図４】本発明に係るコンテナ運搬具へのコンテナの積み下ろし作業の概略説明図である。
【発明を実施するための形態】
【００１０】
以下、本発明の実施形態を図面を参照して説明する。
本発明に係るコンテナ運搬具は、図１に示すように、コンテナ運搬具本体１の底部１ａにローラコンベア２を敷設したものである。
コンテナ運搬具本体１は、底部１ａと、底部１ａの後端から立ち上がる背部１ｂと、底部１ａの左右両側から立ち上がり背部１ｂに連結された側部１ｃ、１ｃとからなり、前方及び上方が開放した形状とされている。
背部１ｂの背面（外面）にフロントローダ又はホイールローダ等のローダ装置３へ取り付けるための取付部１ｄ、１ｅが設けられている。
【００１１】
ローラコンベア２は、コンテナ運搬具本体１の底部１ａに載置されるコンテナ４（図２、図３参照）をコンテナ運搬具本体１の前後方向に移動可能とするため、複数の自由回転するローラ２ａを、図１及び図２に示すように、その支軸２ｂの軸線をコンテナ運搬具本体１の左右方向に平行にして、かつ、前後方向に間隔をおいて配置してある。また、このローラコンベア２は、コンテナ運搬具本体１の左右方向に複数列配置してある。
本実施形態において、コンテナ運搬具本体１の底部１ａは、図１及び図２に示すように、左右両側の外側桟１ａ１、１ａ２と複数の中間桟１ａ３、１ａ４と、前後の連結板１ａ５、１ａ６とで枠状に構成されている。そして、各ローラ２ａの支軸２ｂは、左右両側の外側桟１ａ１、１ａ２の間に複数の中間桟１ａ３、１ａ４を貫通して配置され、各桟間にローラ２ａが複数個（図１、図２は２個の場合を例示している）配置されている。
【００１２】
なお、図２においては、ローラ２ａによるコンテナ支持面高さは、各桟の上面と同じとした場合を例示しているが、各桟の上面を低くしてもよく、高くしてもよい。例えば、各桟の上面をローラ２ａの上面より低くした場合では、コンテナ４をコンテナ運搬具本体１に左右方向の積み込み巾の制約を受けずに積み込むことができる。また、各桟の上面をローラ２ａの上面より高くした場合では、各桟の配置間隔巾内にコンテナ４を整列させて積み込むことができる。
前記取付部１ｄ、１ｅは、コンテナ運搬具本体１の背部１ｂの下端付近に取り付けられたものと、背部１ｂの上下方向途中に取り付けられたものとに分けて構成されており、これらのうち、下端付近のものは、図３及び図４に示すように、ローダ装置３の昇降自在なブーム３ａの先端へ取り付ける支持ブラケット１ｄとされ、また、上下方向途中のものは、前記ブーム３ａに装備された作業具シリンダ３ｂに連結する連結ブラケット１ｅとされている。
【００１３】
これらの取付部１ｄ、１ｅと、ブーム３ａの先端及び作業具シリンダ３ｂとは、抜き差し可能なピン５、６によって着脱可能に連結されており、これによって、コンテナ運搬具本体１は、ローダ装置３のブーム３ａ先端に対して着脱自在に、かつ、チルト・ダンプ動作可能に連結されている。
本発明に係るコンテナ運搬具の実施形態は、以上の構成からなり、次に、その動作を説明する。
本発明のコンテナ運搬具を使用するには、図１に示すコンテナ運搬具本体１の取付部１ｄ、１ｅを、図３及び図４に示すように、ローダ装置３のブーム３ａの先端及び作業具シリンダ３ｂにピン５、６によって連結する。そして、ローダ装置３のブーム３ａの昇降操作及び作業具シリンダ３ｂの伸縮操作によってコンテナ運搬具本体１の昇降動作及びチルト・ダンプ動作や傾斜動作を行わせる。
【００１４】
例えば、コンテナ４をコンテナ運搬具本体１に積み込む場合には、図３に示すように、作業具シリンダ３ｂを動作させてコンテナ運搬具本体１の底部１ａの前側が後側よりも若干高くなるように傾けておく。この場合、水平面に対する傾斜角度αを、例えば、α＝５〜２５°程度傾けておく。この状態で、作業者７が人手でコンテナ４を圃場の地面から持ち上げてコンテナ運搬具本体１の手前側に載せる。これにより、コンテナ４は、自重によりローラコンベア２上を滑ってコンテナ運搬具本体１の奥側に移動する。
なお、コンテナ４の積み込みは、コンテナ運搬具本体１の底部１ａを水平にしておき、作業者７が人手で押し込むか、コンテナ４の積み込み後に図３のように傾斜させて移動させるようにしてもよい。
【００１５】
また、コンテナ運搬具本体１に積み込んだコンテナ４をトラック８の荷台８ａに載せ替える場合には、図４に示すように、コンテナ４を積み込んだコンテナ運搬具本体１をトラック８の荷台８ａの上部に移動させる。これには、ローダ装置３を運転して移動させる。そして、ブーム３ａを下げ、さらに、作業具シリンダ３ｂを動作させてコンテナ運搬具本体１の底部１ａの前側が後側よりも低くなるように傾斜角度αだけ傾斜させてトラック８の荷台８ａに当接させる。これにより、コンテナ４は、自重によりローラコンベア２上を滑ってコンテナ運搬具本体１の底部１ａからトラック８の荷台８ａ上に移動する。
【００１６】
以上説明したように、本発明によれば、コンテナ運搬具本体１の底部１ａに敷設したローラコンベア２により、コンテナ運搬具本体１の手前にコンテナ４を乗せるだけでコンテナ４を、傾斜を利用して自重でコンテナ運搬具本体１の奥部までスムーズに滑り入れる（積み込む）ことができる。即ち、コンテナ４のコンテナ運搬具本体１への積み込み時、コンテナ４をコンテナ運搬具本体１の奥まで押し込む必要がないので、整列させたコンテナ４の積み込みの作業労力を低減することができる。
また、コンテナ４をコンテナ運搬具本体１から下ろす場合やトラック８に載せ替える場合は、コンテナ運搬具本体１を前部が低くなるように若干傾けるだけで、コンテナ４をその自重で滑り下ろす（送り出す）ことができ、人力は不要である。
【００１７】
このように、本発明によれば、コンテナ４のコンテナ運搬具本体１への積み込み、積み下ろし作業を簡単な手段で実現することができる。
本発明の実施形態は以上であるが、本発明は、この実施形態にのみ制約されるものではなく、種々変形して実施することができる。例えば、コンテナ運搬具本体１は、底板付きであってもよく、また、側壁や背壁を設けてもよい。さらに、ローラコンベア２は、各桟間で独立した支軸２ｂで支持させてもよい。
【符号の説明】
【００１８】
１    コンテナ運搬具本体
２    ローラコンベア
３    ローダ装置
４    コンテナ
【図１】
0005491782.tif 000002
【図２】
0005491782.tif 000003
【図３】
0005491782.tif 000004
【図４】
0005491782.tif 000005